(57)【要約】【課題】レーダ装置と灯具とを一体的に構成しつつ、多重反射に起因するレーダ性能の悪化を抑制し得る車載ライト装置を提供すること。【解決手段】車外の第１方向の領域を監視するための車載ライト装置であって、光源及びリフレクタを含んで構成される灯具ユニットと、前記灯具ユニットの下方側又は上方側において、基板面が略水平方向に沿って延在するように配設された回路基板、及び当該回路基板の基板面内に配設され、前記第１方向に電磁波を送信すると共にその反射波を受信する複数のアンテナ素子を含んで構成されるレーダユニットと、を備え、複数の前記アンテナ素子は、平面視で、前記リフレクタよりも前記第１方向側にアレー状に配設され、複数の前記アンテナ素子のアレー方向は、平面視で、前記第１方向に対して交差する方向で、且つ、前記リフレクタの前記第１方向側の端部の延在方向に対して非平行な方向である。【選択図】図３
2020051973.tif 000002
【特許請求の範囲】
【請求項１】
車外の第１方向の領域を監視するための車載ライト装置であって、
前記第１方向に光を出射する光源、及び前記光源の周囲を囲繞するリフレクタを含んで構成される灯具ユニットと、
前記灯具ユニットの下方側又は上方側において、基板面が略水平方向に沿って延在するように配設された回路基板、及び当該回路基板の基板面内に配設され、前記第１方向に電磁波を送信すると共にその反射波を受信する複数のアンテナ素子を含んで構成されるレーダユニットと、
を備え、
複数の前記アンテナ素子は、平面視で、前記リフレクタよりも前記第１方向側にアレー状に配設され、
複数の前記アンテナ素子のアレー方向は、平面視で、前記第１方向に対して交差する方向で、且つ、前記リフレクタの前記第１方向側の端部の延在方向に対して非平行な方向である
車載ライト装置。
【請求項２】
複数の前記アンテナ素子の前記アレー方向は、平面視で、前記リフレクタの前記端部の延在方向に対して９度以上で且つ１７１度以下の角度を有する
請求項１に記載の車載ライト装置。
【請求項３】
平面視で、前記回路基板と前記リフレクタとが重なる領域においては、前記リフレクタの前記端部のなす輪郭が前記第１方向に対して凸となる位置の方が、前記リフレクタの前記端部のなす輪郭が前記第１方向に対して凹となる位置よりも、複数の前記アンテナ素子の素子群の中心位置に近接する
請求項１又は２に記載の車載ライト装置。
【請求項４】
複数の前記アンテナ素子は、それぞれ、エンドファイアアレーアンテナによって構成された
請求項１乃至３のいずれか一項に記載の車載ライト装置。
【請求項５】
複数の前記アンテナ素子の前記第１方向側に配設され、複数の前記アンテナ素子が送信した前記電磁波のビームを絞って車外の前記第１方向に送出する誘電体レンズ、を更に備える
請求項１乃至４のいずれか一項に記載の車載ライト装置。
【請求項６】
前記誘電体レンズは、前記灯具ユニット及び前記レーダユニットの前記第１方向側において、前記光が通過する領域の外周の少なくとも一部を囲繞するように配設されるガーニッシュ材と一体的に構成される
請求項５に記載の車載ライト装置。
【請求項７】
車両高さ方向において、前記レーダユニットは前記灯具ユニットよりも薄い
請求項１乃至６のいずれか一項に記載の車載ライト装置。
【請求項８】
前記アンテナ部は、前記リフレクタよりも車両外部側に配置されている
請求項１乃至７のいずれか一項に記載の車載ライト装置。
【発明の詳細な説明】
【技術分野】
【０００１】
本開示は、車載ライト装置に関する。
【背景技術】
【０００２】
従来、ミリ波レーダ（以下、「レーダ装置」とも称する）を、車外を照射する灯具（例えば、ヘッドライトや、又はバックライト）と一体的に配設した車載ライト装置が知られている（例えば、特許文献１を参照）。
【０００３】
かかる車載ライト装置は、ミリ波レーダを搭載するための配置スペースを省スペース化し、車体のデザイン性の向上に資する点で、好適である。
【先行技術文献】
【特許文献】
【０００４】
【特許文献１】特開２００８−１８６７４１号公報
【発明の開示】
【発明が解決しようとする課題】
【０００５】
ところで、この種の車載ライト装置においては、レーダ装置と灯具のリフレクタ（光源が出射する光を集光して、ライトの照射範囲を調整する反射部材）とが近接して配設されることになる。そのため、この種の車載ライト装置においては、レーダ装置から送信されてターゲットで反射して戻ってきた電磁波が、当該リフレクタで再反射して、レーダ装置のアンテナ部に到来するおそれがある。
【０００６】
特に、リフレクタは、光源から出射された光だけでなく、レーダ装置等で使用されている電波も反射する。尚、リフレクタは面的な広がりを有する反射部材であるが、レーダ装置とリフレクタが近接配置された場合には、リフレクタの端部における反射が最も影響が大きくなり、このため、リフレクタは、アンテナ部が配設されたレーダ装置等との間で多重反射を引き起こし、自身とアンテナ部との間で定在波を発生させるおそれがある。そして、かかる定在波が、アンテナ部に到来する電磁波にフェージングを生じさせることとなり、アンテナ部の受信特性において、ターゲットの検知性能を劣化せしめることになる。
【０００７】
本開示は、上記の問題点に鑑みてなされたもので、レーダ装置と灯具とを一体的に構成しつつ、多重反射に起因するレーダ性能の悪化を抑制し得る車載ライト装置を提供することを目的とする。
【課題を解決するための手段】
【０００８】
前述した課題を解決する主たる本開示は、
車外の第１方向の領域を監視するための車載ライト装置であって、
前記第１方向に光を出射する光源、及び前記光源の周囲を囲繞するリフレクタを含んで構成される灯具ユニットと、
前記灯具ユニットの下方側又は上方側において、基板面が略水平方向に沿って延在するように配設された回路基板、及び当該回路基板の基板面内に配設され、前記第１方向に電磁波を送信すると共にその反射波を受信する複数のアンテナ素子を含んで構成されるレーダユニットと、
を備え、
複数の前記アンテナ素子は、平面視で、前記リフレクタよりも前記第１方向側にアレー状に配設され、
複数の前記アンテナ素子のアレー方向は、平面視で、前記第１方向に対して交差する方向で、且つ、前記リフレクタの前記第１方向側の端部の延在方向に対して非平行な方向である
車載ライト装置である。
【発明の効果】
【０００９】
本開示に係る車載ライト装置によれば、レーダ装置と灯具とを一体的に構成しつつ、多重反射に起因するレーダ性能の悪化を抑制することができる。
【図面の簡単な説明】
【００１０】
【図１Ａ】第１の実施形態に係るライト装置の車両における配設状態を示す斜視図
【図１Ｂ】第１の実施形態に係るライト装置の車両における配設状態を示す平面図
【図１Ｃ】第１の実施形態に係るライト装置の車両における配設状態を示す正面図
【図２】第１の実施形態に係るライト装置の構成の一例を示す側面断面図
【図３】第１の実施形態に係るライト装置のレーダユニットと灯具ユニットの位置関係を示す平面図
【図４】第１の実施形態に係るライト装置のレーダユニットと灯具ユニットの位置関係を示す上方斜視図
【図５Ａ】変形例１に係るライト装置におけるアンテナ部の配設位置を示す図
【図５Ｂ】変形例２に係るライト装置におけるアンテナ部の配設位置を示す図
【図６】第２の実施形態に係るライト装置の構成の一例を示す全体図
【図７】第２の実施形態に係るライト装置の構成の一例を示す側面断面図
【図８】第２の実施形態に係るガーニッシュ材の構成の一例を示す斜視図
【図９】第２の実施形態に係るレーダユニットを上方から見た平面図
【発明を実施するための形態】
【００１１】
以下に添付図面を参照しながら、本開示の好適な実施形態について詳細に説明する。尚、本明細書及び図面において、実質的に同一の機能を有する構成要素については、同一の符号を付することにより重複説明を省略する。
【００１２】
（第１の実施形態）
以下、図１Ａ、図１Ｂ，図１Ｃ、図２，図３及び図４を参照して、本実施形態に係る車載ライト装置（以下、「ライト装置」と略称する）の構成の一例について説明する。本実施形態に係るライト装置は、車両前方を照射するヘッドライトに適用されている。尚、ここでは、車両前方の右側のヘッドライトの構成についてのみ説明する。
【００１３】
各図には、各構成の位置関係を明確にするため、レーダ装置（本発明のレーダユニットに相当）が装置外部に電磁波を送信する前方向（即ち、物体検知の対象となる方向）を基準として、共通の直交座標系（Ｘ、Ｙ、Ｚ）を示している。以下では、Ｘ軸のプラス方向はレーダ装置が装置外部に電磁波を送信する前方向（以下、「前方向」又は「第１方向」と略称する）を表し、Ｙ軸のプラス方向はレーダ装置の左側方向（以下、「左方向」と略称する）を表し、Ｚ軸のプラス方向はレーダ装置の上方向（以下、「上方向」と略称する）を表すものとして説明する。
【００１４】
尚、以下では、プラスＺ方向が車両の上方向に相当し、プラスＸ方向から３０度程度プラスＹ方向側に向けた方向が車両の進行方向に相当する。
【００１５】
図１Ａは、本実施形態に係るライト装置Ｕの車両における配設状態を示す斜視図である。図１Ｂは、本実施形態に係るライト装置Ｕの車両における配設状態を示す平面図である。図１Ｃは、本実施形態に係るライト装置Ｕの車両における配設状態を示す正面図である。
【００１６】
本実施形態に係るライト装置Ｕは、レーダユニット１０、灯具ユニット２０ａ、２０ｂ、２０ｃ、及び、筐体３０を備えている。
【００１７】
本実施形態に係るライト装置Ｕにおいては、３個の灯具ユニット２０ａ、２０ｂ、２０ｃが左右方向に沿って隣接して配設されており、レーダユニット１０は、当該灯具ユニット２０ａ、２０ｂ、２０ｃの下方側に配設されている。
【００１８】
本実施形態に係るレーダユニット１０は、車両の進行方向に対して斜め右方向（プラスＸ方向）に向かって電磁波を送信し、当該方向に存在する物体検知を行う。そして、左側のヘッドライトに内蔵されたレーダユニット（図示せず）が、車両の進行方向に対して斜め左方向に存在する物体検知を行う。
【００１９】
図２は、本実施形態に係るライト装置Ｕの側面断面図である。図３は、本実施形態に係るライト装置Ｕのレーダユニット１０と灯具ユニット２０ａ、２０ｂ、２０ｃの位置関係を示す平面図である。図４は、本実施形態に係るライト装置Ｕのレーダユニット１０と灯具ユニット２０ａ、２０ｂ、２０ｃの位置関係を示す上方斜視図である。
【００２０】
筐体３０は、車両の前端領域内に収納空間を形成し、レーダユニット１０、及び灯具ユニット２０ａ、２０ｂ、２０ｃを当該収納空間内に収納する。又、筐体３０は、収納空間の前面を覆う前面カバー３０ａを有している。尚、筐体３０は、例えば、樹脂製の素材（例えば、ポリカーボネート等）で形成されている。又、前面カバー３０ａは、例えば、光に対する透過性を有する樹脂製の素材（例えば、ポリカーボネート等）によって形成されている。
【００２１】
灯具ユニット２０ａは、光源２１ａ及びリフレクタ２２ａを備えている。
【００２２】
光源２１ａは、例えば、ＬＥＤランプ又は白熱灯ランプ等であって、前方（ここでは、プラスＸ方向から３０度程度マイナスＹ方向側に向けた方向）に向かって光を出射する。光源２１ａは、筐体３０の後方側の側壁に取り付けられている。尚、光源２１ａとしては、集光レンズを有するものが用いられてもよい。
【００２３】
リフレクタ２２ａは、光源２１ａの周囲を囲繞するように配設され、光源２１ａが出射する光を集光して、ライトの照射範囲を調整する。リフレクタ２２ａは、例えば、前方側に開口を向け、且つ、前方側に向かうにつれて開口径が大きくなる四角錐状の筒部材によって構成されている。尚、リフレクタ２２ａは、例えば、アルミ材等の金属部材によって形成されている。又、リフレクタ２２ａは、樹脂部材にメタライズして形成されてもよい。
【００２４】
灯具ユニット２０ｂ、２０ｃは、灯具ユニット２０ａと同様の構成を有し、それぞれ、光源２１ｂ、２１ｃ、及び当該光源２１ｂ、２１ｃの周囲を囲繞するリフレクタ２２ｂ、２２ｃによって構成されている。尚、灯具ユニット２０ａ、２０ｂ、２０ｃは、例えば、アダプティブハイビームシステムと称される、ヘッドライトの照射エリアを自動的に移行するシステムを搭載している。
【００２５】
以下では、灯具ユニット２０ａ、灯具ユニット２０ｂ及び灯具ユニット２０ｃのいずれかについて、特に区別しない場合、「灯具ユニット２０」、「光源２１」、及び「リフレクタ２２」と略称する。
【００２６】
レーダユニット１０は、回路基板１１、アンテナ部１２、及び信号処理ＩＣ１３を備えている。
【００２７】
回路基板１１は、アンテナ部１２及び信号処理ＩＣ１３が実装される基板である。回路基板１１としては、例えば、ＰＣＢ（Printed Circuit Board）基板又は信号処理ＩＣ１３を内蔵した半導体基板等が用いられる。
【００２８】
回路基板１１は、ライト装置Ｕの小型化の観点から、リフレクタ２２の下方側において、基板面が略水平方向に沿って延在するように配設されている。ここで、「略水平方向に沿って」とは、基板面が地面に対して完全に水平な状態に加えて、基板面が地面に対して傾斜した状態も含む。尚、回路基板１１は、リフレクタ２２の上方側に配設されてもよい。
【００２９】
換言すると、レーダユニット１０は、回路基板１１が水平に配設された横置き型のミリ波レーダを構成している。これによって、±Ｚ方向において、レーダユニット１０は、灯具ユニット２０よりも薄い構成となる。
【００３０】
アンテナ部１２は、回路基板１１の基板面内の前部領域に配設され、前方（プラスＸ方向）に向かって電磁波Ｆｔを送信すると共に、当該電磁波がターゲットにて反射して戻ってくる反射波Ｆｒを受信する。
【００３１】
アンテナ部１２は、例えば、回路基板１１の前端側の方向に指向特性を有するエンドファイアアレー(End-fire Array)アンテナである。尚、エンドファイアアレーアンテナは、長手方向が平行になるように配列された複数のストリップ導体を含んで構成され、当該複数のストリップ導体が配列される方向に沿って電磁波を送受信する。
【００３２】
アンテナ部１２は、例えば、±Ｙ方向に沿ってアレー状に配設された６個のエンドファイアアレーアンテナ（以下、「アンテナ素子」とも称する）１２ａによって構成されている。そして、アンテナ部１２は、当該６個のアンテナ素子１２ａによって、フェーズドアレーアンテナとして構成されている。
【００３３】
信号処理ＩＣ１３は、例えば、アンテナ部１２に高周波の駆動信号を送出して、アンテナ部１２から電磁波（例えば、ミリ波帯域の電磁波）を送信させたり、アンテナ部１２が受信した反射波に係る受信信号の受信処理を行う。そして、信号処理ＩＣ１３による受信処理（例えば、検波処理や周波数解析処理）によって、ターゲット（例えば、車両や人）までの距離、及びターゲットが存在する方位、その他にターゲットの反射強度や速度等の検出が行われる。尚、ここでは、当該信号処理ＩＣ１３による受信処理は、公知の構成と同様であるため、ここでの詳細な説明は省略する。
【００３４】
尚、本実施形態に係るレーダユニット１０は、灯具ユニット２０と同一の筐体３０内に収納される構成となっているが、筐体３０とは別個のレーダ筐体に収納され、筐体３０に取り付けられる構成であってもよい。又、レーダユニット１０と灯具ユニット２０との間に、樹脂製のセパレータ等が存在する構成であってもよい。
【００３５】
ここで、図３、図４を参照して、本実施形態に係るライト装置Ｕにおけるアンテナ部１２の配設位置の詳細について、説明する。
【００３６】
通常、アンテナ部１２から送信され、ターゲットで反射して戻ってくる反射波は、アンテナ部１２の配設位置のみならず、アンテナ部１２の周囲の種々の位置に到来する。この際、リフレクタ２２は、金属部材によって構成されているため、当該リフレクタ２２に到来した反射波は、当該リフレクタ２２で再反射して、種々の方向に向かう（以下、「反射波の多重反射成分」とも称する）。特に、当該再反射は、リフレクタ２２の前端部２２ａａ、２２ｂａ、２２ｃａにおいて発生する。
【００３７】
ここで、仮に、リフレクタ２２の反射面とアンテナ部１２が配設された回路基板１１の基板面とが正対している場合には、反射波の多重反射成分は、リフレクタ２２とアンテナ部１２との間で定在波を引き起こすことになる。そして、当該定在波は、ターゲットからアンテナ部１２に直接的に到来する反射波に重畳し、アンテナ部１２の受信特性において、ターゲットの検知が不可能な死角領域を発生させることになる。
【００３８】
本実施形態に係るアンテナ部１２は、かかる観点から、リフレクタ２２よりも前方側（即ち、車両外部側）に配設されている。つまり、アンテナ部１２は、平面視で、リフレクタ２２と重なり合わないように配設されている。
【００３９】
これによって、アンテナ部１２とリフレクタ２２とが正対する状態を避け、アンテナ部１２とリフレクタ２２との間における定在波の発生を抑制している。
【００４０】
又、本実施形態に係るアンテナ部１２を構成する複数のアンテナ素子１２ａのアレー方向は、平面視で、リフレクタ２２の前端部２２ａａ、２２ｂａ、２２ｃａの延在方向と非平行な方向で、且つ、前方に対して交差する方向（±Ｙ方向）である。より好適には、アンテナ部１２のアレー方向は、平面視で、リフレクタ２２の前端部２２ａａ、２２ｂａ、２２ｃａの延在方向に対して９度以上で且つ１７１度以下の角度（図３中のθ）を有するように設定される。
【００４１】
これによって、リフレクタ２２の前端部２２ａａ、２２ｂａ、２２ｃａに到来した反射波を、プラスＹ方向又はマイナスＹ方向に向かわせるように反射させることができ、当該反射波を、アンテナ部１２の配設位置から離れる方向に拡散させることが可能である。換言すると、これによって、アンテナ部１２に到来する反射波の多重反射成分の量を抑制することができる。
【００４２】
又、アンテナ部１２とリフレクタ２２との位置関係は、平面視で、回路基板１１とリフレクタ２２とが重なる領域において、リフレクタ２２の前端部２２ａａ、２２ｂａ、２２ｃａのなす輪郭が前方に対して凸となる位置（図３では、リフレクタ２２ｂのエッジ部２２ｂｂの位置）の方が、リフレクタ２２の前端部２２ａａ、２２ｂａ、２２ｃａのなす輪郭が前方に対して凹となる位置（図３では、リフレクタ２２ｂのエッジ部２２ｃｂ、２２ｂｃの位置）よりも、複数のアンテナ素子１２ａの素子群の中心位置（図３では、６個のアンテナ素子１２ａのうち、左端のアンテナ素子１２ａから３つ目のアンテナ素子１２ａ付近の一位置）に近接するように設定されている。
【００４３】
これによって、リフレクタ２２の前端部２２ａａ、２２ｂａ、２２ｃａに到来した反射波は、当該リフレクタ２２の前端部２２ａａ、２２ｂａ、２２ｃａにて再反射する際、アンテナ部１２の配設位置から離れる方向（ここでは、プラスＹ方向又はマイナスＹ方向）に拡散することになる。リフレクタ２２の前端部２２ａａ、２２ｂａ、２２ｃａに到来した反射波を、プラスＹ方向又はマイナスＹ方向に向かわせるように反射させ、当該反射波がアンテナ部１２に到来することを抑制している。
【００４４】
［効果］
以上のように、本実施形態に係る車載ライト装置Ｕは、前方（第１方向）に光を出射する光源２１、及び光源２１の周囲を囲繞するリフレクタ２２を含んで構成される灯具ユニット２０と、灯具ユニット２０の下方側又は上方側において、基板面が水平に延在するように配設された回路基板１１、及び当該回路基板１１の基板面内に配設され、第１方向の領域との間で電磁波を送受信する複数のアンテナ素子１２ａを含んで構成されるレーダユニット１０と、を備えている。そして、複数のアンテナ素子１２ａは、平面視で、リフレクタ２２よりも前方側にアレー状に配設され、複数のアンテナ素子１２ａのアレー方向は、平面視で、前方に対して交差する方向で、且つ、リフレクタ２２の前方側の端部２２ａａ、２２ｂａ、２２ｃａの延在方向に対して非平行な方向である。
【００４５】
従って、本実施形態に係る車載ライト装置Ｕによれば、ターゲットからの反射波のうち、リフレクタ２２で再反射する電磁波（反射波の多重反射成分）に起因して、当該リフレクタ２２と回路基板１１のアンテナ部１２の部分との間に定在波が発生する事態を抑制することができる。これによって、反射波の多重反射成分が、ターゲットからアンテナ部１２に直接的に到来する反射波に重畳して、アンテナ部１２の受信特性を悪化させる事態を抑制することができる。つまり、これによって、多重反射に起因するレーダ性能の悪化を抑制することができる。
【００４６】
（第１の実施形態の変形例）
アンテナ部１２の配設位置は、リフレクタ２２の形状等に応じて、種々に変更し得る。
【００４７】
図５Ａは、変形例１に係るライト装置Ｕにおけるアンテナ部１２の配設位置を示す図である。図５Ｂは、変形例２に係るライト装置Ｕにおけるアンテナ部１２の配設位置を示す図である。尚、図５Ａ、図５Ｂには、灯具ユニット２０ａ、２０ｂ、２０ｃのうち、灯具ユニット２０ａのみを図示している。
【００４８】
変形例１に係るライト装置Ｕ及び変形例２に係るライト装置Ｕは、レーダユニット１０が電磁波を送受信する方向を、灯具ユニット２０ａが光を照射する方向と同一方向に設定した態様である。
【００４９】
かかる態様においては、仮に、上記実施形態で説明した四角錐状のリフレクタ２２ａを用いた場合、アンテナ部１２のアレー方向とリフレクタ２２ａの前端部２２ａａの延在方向が平行となり、反射波の多重反射成分の多くがアンテナ部１２に到来することになる。
【００５０】
かかる観点から、変形例１に係るライト装置Ｕ及び変形例２に係るライト装置Ｕのいずれにおいても、リフレクタ２２ａの前端部２２ａａの延在方向が、アンテナ部１２のアレー方向と非平行状態となるように、リフレクタ２２ａの前端部２２ａａが、プラスＸ方向に凸部を有する形状とされている。
【００５１】
具体的には、変形例１に係るリフレクタ２２ａの前端部２２ａａは、平面視で、プラスＸ方向に頂点を有する三角形状を呈しており、アンテナ部１２のアレー方向が、平面視で、リフレクタ２２ａの前端部２２ａａの延在方向に対して９度以上の角度（図５Ａ中のθ）を有するように設定されている。
【００５２】
又、変形例２に係るリフレクタ２２ａの前端部２２ａａは、平面視で、プラスＸ方向に凸な円弧形状を呈している。
【００５３】
従って、変形例１に係るライト装置Ｕ及び変形例２に係るライト装置Ｕのいずれにおいても、第１の実施形態に係るライト装置Ｕと同様に、リフレクタ２２ａの前端部２２ａａに到来した反射波を、プラスＹ方向又はマイナスＹ方向に向かわせるように反射させることができる。
【００５４】
尚、リフレクタ２２ａの前端部２２ａａが、平面視で、プラスＸ方向に対して凹形状を呈している場合にも、同様の効果を期待できる。例えば、凹形状としては、円弧形状や鋸形状であってもよく、端部がメアンダライン形状やスリットが存在していてもよい。
【００５５】
（第２の実施形態）
次に、図６〜図９を参照して、第２の実施形態に係るライト装置Ｕの構成について説明する。本実施形態に係るライト装置Ｕは、ガーニッシュ材４０を有する点で、第１の実施形態と相違する。尚、第１の実施形態と共通する構成については、説明を省略する。
【００５６】
図６は、本実施形態に係るライト装置Ｕの構成の一例を示す全体図である。図７は、本実施形態に係るライト装置Ｕの構成の一例を示す側面断面図である。図８は、本実施形態に係るガーニッシュ材４０の構成の一例を示す斜視図である。図９は、本実施形態に係るレーダユニット１０を上方から見た平面図である。
【００５７】
ガーニッシュ材４０は、意匠部材であり、灯具ユニット２０及びレーダユニット１０の前方側において、光源２１から出射される光が通過する領域の外周を囲繞して、車両の外観の一部を構成するように配設されている。ガーニッシュ材４０は、例えば、車両のボディ前面において、前面カバー３０ａの外周を囲繞する略矩形の枠部材として形成されている（図８を参照）。尚、図６では、ガーニッシュ材４０の形状は、前面カバー３０ａの全周囲を囲繞する形状としているが、前面カバー３０ａの周囲を部分的に囲繞する形状としてもよい。
【００５８】
又、ガーニッシュ材４０は、アンテナ部１２が送受信する電磁波が通過する領域（即ち、アンテナ部１２の前方領域）に、当該電磁波を集光又は拡散（ここでは、集光）するレンズ部４０ａを有する。レンズ部４０ａは、典型的には、アンテナ部１２が送信した電磁波のビームを絞って前方に送出すると共に、電磁波がターゲットで反射して戻ってきた反射波をアンテナ部１２に集光する。
【００５９】
ガーニッシュ材４０の素材としては、例えば、ＡＢＳ樹脂、又はポリプロピレン樹脂等の樹脂素材が用いられている。又、ガーニッシュ材４０は、例えば、樹脂成形（例えば、射出成形）によって形成されており、レンズ部４０ａは、当該ガーニッシュ材４０の形状の一部として形成されている。尚、ガーニッシュ材４０は、例えば、前面カバー３０ａとは異なり、不透明な素材によって形成される。
【００６０】
レンズ部４０ａとしては、例えば、プラスＸ方向が凸で、±Ｙ方向に沿って延在する半円筒形状又は放物筒形状のレンズが用いられる。かかる半円筒形状又は放物筒形状のレンズ部４０ａは、側面の断面形状が、±Ｙ方向のいずれの位置でも、略同一の形状を呈している（蒲鉾形状とも称される）ため、±Ｙ方向の異なる位置に到来した反射波の屈折角を同一とすることができる点で好適である。これによって、装置外部から到来する反射波が、種々の方向（例えば、アンテナ部１２に対してプラスＹ方向側とマイナスＹ方向側）からアンテナ部１２に入射する事態を抑制する。つまり、これによって、物体検知の精度悪化（例えば、相互干渉による精度悪化又は位相差の変化によるに精度悪化）を引き起こすことを防止している。
【００６１】
以上のように、本実施形態に係る車載ライト装置Ｕによれば、ガーニッシュ材４０を、レーダユニット１０を防護するカバー部材、及びレーダユニット１０が送受信する電磁波の集光等を行う誘電体レンズとして機能させることができる。
【００６２】
これによって、車両の外観デザインを維持しつつ、車両のボディ内における車載ライト装置Ｕの配設スペースの省スペース化、及び、レーダユニット１０におけるレーダ性能の向上を図ることができる。又、これによって、ガーニッシュ材４０以外の他の部材（例えば、バンパ）を介在することなく、レーダユニット１０にて電磁波の送受信を行う構成とできるため、レーダユニット１０の前方に配した他の部材とレーダユニット１０との間で生じる多重反射に起因したレーダ性能の悪化を抑制することができる。
【００６３】
（その他の実施形態）
本発明は、上記実施形態に限らず、種々に変形態様が考えられる。
【００６４】
上記実施形態では、ライト装置Ｕの適用対象の一例として、ヘッドライトを示したが、本発明に係るライト装置Ｕは、テールライト又はスモールライト等にも適用可能である。
【００６５】
又、上記実施形態では、アンテナ部１２とリフレクタ２０の位置関係の好適な一例として、リフレクタ２０に対してレーダユニット１０のアンテナ部１２が前方に配置された場合について説明した。但し、本発明は、当該態様に限定されるものではなく、レーダユニット１０のアンテナ部１２が平面図に置いてリフレクタ２０の先端部よりも後方に配置された場合であってもよい。この場合でも、リフレクタ２０の先端部とレーダユニット１０のアンテナアレイ方向とを互いに非並行の関係に配置することによって多重波が生じることを抑制する効果が期待できる。
【００６６】
又、上記実施形態では、ライト装置Ｕの一例として、エンドファイアアレーアンテナを用いた横置き型のレーダユニット１０を用いる態様を示した。しかしながら、本発明に係るライト装置Ｕは、横置き型のレーダユニット１０に限らず、基板面の法線方向に指向特性を有するパッチアンテナ等を用いた縦置き型のレーダユニット（即ち、±Ｘ方向の長さが短いレーダユニット）にも適用し得る。
【００６７】
又、上記実施形態では、アンテナ部１２を構成するアンテナ素子の一例として、エンドファイアアレイアンテナを示した。しかしながら、アンテナ部１２は、回路基板１１に形成された導体パターンによって構成されるものであればよく、エンドファイアアレイアンテナの他に、八木アレーアンテナ、フェルミアンテナ、ポスト壁導波路アンテナ、又は、ポスト壁ホーンアンテナ等によって構成されてもよい。
【００６８】
又、上記実施形態では、ガーニッシュ材４０のレンズ部４０ａの形状の一例として、半円筒形状のレンズを示した。しかしながら、レンズ部４０ａの形状としては、ドーム型レンズ、両面凸レンズ、ボールレンズ、フレネルレンズ、若しくはこれらの組み合わせ、又は、凹レンズとこれらの組み合わせ等が適用されてもよい。又、レンズ部４０ａとしては、その他、アンテナ部１２から送信される電磁波を拡散する凹レンズが適用されてもよい。
【００６９】
又、上記実施形態では、ライト装置Ｕの一例として、３個の灯具ユニット２０を有する態様を示した。しかしながら、本発明に係るライト装置Ｕは、１個の灯具ユニット２０のみを有する構成であってもよい。
【００７０】
以上、本発明の具体例を詳細に説明したが、これらは例示にすぎず、請求の範囲を限定するものではない。請求の範囲に記載の技術には、以上に例示した具体例を様々に変形、変更したものが含まれる。
【産業上の利用可能性】
【００７１】
本開示に係る車載ライト装置によれば、レーダ装置と灯具とを一体的に構成しつつ、多重反射に起因するレーダ性能の悪化を抑制することができる。
【符号の説明】
【００７２】
Ｕ  車載ライト装置
１０  レーダユニット
１１  回路基板
１２  アンテナ部
１３  信号処理ＩＣ
２０ａ、２０ｂ、２０ｃ  灯具ユニット
２１ａ、２１ｂ、２１ｃ  光源
２２ａ、２２ｂ、２２ｃ  リフレクタ
３０  筐体
３０ａ  前面カバー
４０  ガーニッシュ材
４０ａ  レンズ部
【図１Ａ】
2020051973.tif 000003
【図１Ｂ】
2020051973.tif 000004
【図１Ｃ】
2020051973.tif 000005
【図２】
2020051973.tif 000006
【図３】
2020051973.tif 000007
【図４】
2020051973.tif 000008
【図５Ａ】
2020051973.tif 000009
【図５Ｂ】
2020051973.tif 000010
【図６】
2020051973.tif 000011
【図７】
2020051973.tif 000012
【図８】
2020051973.tif 000013
【図９】
2020051973.tif 000014